(57)【要約】【目的】本発明は生産時の分別工程をなくしながらも、初心者にも楽しめるジグソーパズルを提供することを目的とする。【構成】絵柄を印刷した絵柄シート１と、該絵柄シート１を貼り付ける台紙２と、該台紙２に貼り付ける裏紙３と、を多数のピース４に切断したジグソーパズルにおいて、前記裏紙３が複数の色で色分けされている構成とした。【選択図】　　　　図１
2004049591.tif 000002
【特許請求の範囲】
【請求項１】
絵柄を印刷した絵柄シートを多数のピースに切断したジグソーパズルにおいて、該絵柄シートの裏面が複数の色で色分けされていることを特徴とするジグソーパズル。
【請求項２】
前記ジグソーパズルは、前記絵柄シートを貼り付ける台紙を有し、該台紙が複数の色で色分けされていることを特徴とする請求項１記載のジグソーパズル。
【請求項３】
前記ジグソーパズルは、前記絵柄シート又は前記台紙の裏に貼り付ける裏紙を有し、該裏紙が複数の色で色分けされていることを特徴とする請求項１又は２記載のジグソーパズル。
【発明の詳細な説明】
【０００１】
【産業上の利用分野】
本発明は、ピースの分別が容易になるジグソーパズルに関する。
【０００２】
【従来の技術】
ジグソーパズルは、多数のピースを相互に組み合わせて嵌め込むように構成されており、全てのピースが組み合わされた状態で、動物や風景等のひとつの絵柄が完成するものである。
【０００３】
このようなジグソーパズルは、動物や風景等の絵柄が印刷された絵柄シート、ボール紙等作られた台紙、及び台紙の裏に貼り付ける裏紙からなる。台紙の表面に絵柄シートを、裏面に裏紙を貼り付け、その後切断刃を備えたプレス機により多数のピースに切断する。最後に各ピースをバラバラにして箱詰めして出荷する。
【０００４】
ジグソーパズルは、１００ピース程度のものから１０００ピース以上のものまで多数の種類が市販されている。一般的にピース数が多いものほど難易度が高くなっており、難易度が上がれば、完成までの時間と労力がより多く必要となる。これはピースをひとつずつ、完成図のどの部分に該当するか判断して分別する作業が、ピース数が多くなるほど難しくなるためだと考えられる。そのため、気に入った絵柄があっても、ピース数が多いために購入をあきらめてしまうケースが、特に初心者に多かったと考えられる。
【０００５】
このような問題を解決するために、特開平９−１３５９６３が提案されている。これは複数のピースに切断したジグソーパズルを、箱詰めする時にいくつかの部分に分けて袋詰、若しくは仕切りを設けた箱に部分毎に収納するものである。こうすることで、ジグソーパズルを一部ずつ完成させることができ、結果として全体完成までの時間が短縮できるため、今まで購入をためらっていた人達にも手軽に楽しめるようになる。
【０００６】
【発明が解決しようとする課題】
しかし、特開平９−１３５９６３では、カットしたジグソーパズルを部分毎に袋詰等する工程を自動化することができず、人手に頼るしかなかった。そのため、自ずと生産数が限られてしまい、コストアップの原因ともなっていた。
【０００７】
そこで、本発明は生産時の分別工程をなくしながらも、初心者にも楽しめるジグソーパズルを提供することを目的とする。
【０００８】
【課題を解決するための手段】
上記の課題を解決するために、本発明のジグソーパズルは、絵柄を印刷した絵柄シートを多数のピースに切断したジグソーパズルにおいて、該絵柄シートの裏面が複数の色で色分けされている構成とした。
【０００９】
さらに、前記ジグソーパズルは、前記絵柄シートを貼り付ける台紙を有し、該台紙が複数の色で色分けされている構成としたり、前記ジグソーパズルは、前記絵柄シート又は前記台紙の裏に貼り付ける裏紙を有し、該裏紙が複数の色で色分けされた構成とすることもできる。
【００１０】
【発明の実施の形態】
次に本発明の実施例を、図面を基に説明する。図１は、本発明のジグソーパズルの構成を示す斜視図である。ジグソーパズルは絵柄シート１、台紙２、及び裏紙３から構成されている。図では、厚さを実際よりも厚く描いてある。絵柄シート１は薄紙に動物や風景等の写真やイラスト等を印刷したものであり、台紙２は厚さ２ｍｍほどのボール紙である。裏紙３は、台紙２の裏に貼る化粧紙であり、その下面３１は複数の色で色分けされている。
【００１１】
図２は裏紙３の下面３１を色分けした状態を示す図である。裏紙３の下面３１を縦横に領域３１ａ，３１ｂ，３１ｃ，３１ｄで示すように田の字形に４等分し、それぞれに異なる色を彩色してある。
【００１２】
色分けの境界線は、切断したときのピースの形状に合わせるとよいが必ずしもそうある必要はなく、直線でもよい。これは、ピースの形状にあわせて色分けする作業が複雑でコストがかかるためである。また、本発明は、図２のような４等分に限定されるものではなく、任意の色数に分けることができ、形状も四角形以外であってもよく、例えば図１の絵柄シート１に印刷された絵柄であれば、猫を囲む部分と、それ以外の背景部分というような分け方であってもよい。
【００１３】
なお、ジグソーパズルによっては、裏紙３を使用しないものや、絵柄シート１が台紙も兼ねているものもある。そのような場合には、台紙２又は絵柄シート１の裏面を色分けすることになる。
【００１４】
本発明のジグソーパズルを製作するには次のような手順となる。まず、絵柄シート１及び裏紙３を、台紙２に糊付けする。この時、裏紙３の下面３１が外側になるように貼り付ける。次に切断刃を備えたプレス機により多数のピースに切断する。
【００１５】
図３はプレス機によってピースに切断された状態を示す斜視図である。図では絵柄上の切断線は省略してあり、厚さも実際より厚く描いてある。プレス機のダイセットには、縦横にピース４の形状に沿って伸びた鋼鉄刃が取り付けられている。縦に切断する刃と、横に切断する刃が別々のダイセットに取り付けられ、縦の切断と横の切断を別々に行うものと、縦横の刃がひとつのダイセットに取り付けられ、一度のプレスでピース４に切断する方法等があるが、どちらの方法で切断してもよい。
【００１６】
このようにして一つの絵柄が、多数のピース４に切断される。切断直後は図３で示すように、それぞれのピース４がバラバラにならずに嵌合したままなのでこれを専用の機械でバラバラにし、袋詰及び箱詰めを行う。
【００１７】
図４は、切断してできたピース４の裏面を示す図である。多数あるピース４のうちほとんどのものは、４色のうちいずれか１色のみが彩色された状態である。ジグソーパズルを組み立てる時には、まず全てのピース４を裏返し、裏に彩色された色毎に分別する。このように、組み立て時に簡単に分別が可能であるので、特開平９−１３５９６３のように製造時に手作業で分別する必要がなくなる。
【００１８】
各色の境界線上のピース４には図４の領域３１ａ，３１ｂに示したように複数の色が彩色されている。このように、複数の色が彩色されたピース４は、該当する複数色のいずれかに分別すればよい。もしくは、複数色で彩色されたピース４を集めて、先に境界線を組み立てることも可能である。
【００１９】
このように分別すると、ジグソーパズルを裏紙３の下面３１に彩色された色によって分別したグループ毎に組み立てていくことができ効率的である。また、ひとつひとつのグループは、ピース数の少ない難易度の低いジグソーパズルになるので、初心者でも楽しむことができる。
【００２０】
【発明の効果】
以上のように本発明によれば、絵柄を印刷した絵柄シートを多数のピースに切断したジグソーパズルにおいて、該絵柄シートの裏面が複数の色で色分けされている構成とすることで、生産時の分別工程が不要となり、初心者でも難易度の高いジグソーパズルを楽しむことができる。
【図面の簡単な説明】
【図１】本発明のジグソーパズルの構成を示す斜視図である。
【図２】裏紙の下面に色分けした状態を示す図である。
【図３】プレス機によってピースに切断された状態を示す斜視図である。
【図４】
切断してできたピースの裏面を示す図である。
【符号の説明】
１　　　絵柄シート
２　　　台紙
３　　　裏紙
４　　　ピース
【図１】
2004049591.tif 000003
【図２】
2004049591.tif 000004
【図３】
2004049591.tif 000005
【図４】
2004049591.tif 000006